(57)【要約】【課題】光ディスク再生装置において、筐体内部の発熱を放熱し、見栄えを良くする。【解決手段】ＢＤ再生装置は、表示装置と、ＢＤディスク再生部４１を有する本体装置４とを備える。本体装置４の内部には、ＢＤディスク再生部４１に加えて、装置稼動時に発熱する制御基板４２と、制御基板４２の下部に位置する放熱板とが格納される。本体装置４の筐体の上面には、蓋１１と、蓋１１を収納するための凹部１２とが設けられる。凹部１２の立ち上がり部１２ａ〜１２ｃには、本体装置４の筐体の内部と貫通する空気穴６１が形成されている。蓋１１と凹部１２との間には、蓋１１を閉じたときに、空気穴６１を介して本体装置４の筐体の内部に外気を流通させるための隙間が確保されている。制御基板４２の発熱が制御基板４２の下部に設けられた放熱板に伝導し、放熱板の熱は制御基板４２の外周部から上昇し、空気穴６１から外部に放熱される。【選択図】図２
2011141923.tif 000002
【特許請求の範囲】
【請求項１】
装置の稼動時に発熱する制御基板が装置本体筐体の内部に格納され、開閉自在である蓋と、該蓋を収納するための凹部とが前記装置本体筐体の外部に設けられている光ディスク再生装置であって、
前記凹部の立ち上がり部には、前記装置本体筐体の内部と貫通する空気穴が形成されていることを特徴とする光ディスク再生装置。
【請求項２】
前記蓋と前記凹部との間には、該蓋を該凹部に収納したときに、前記空気穴を介して前記装置本体筐体の内部に外気を流通させるための隙間が確保されていることを特徴とする請求項１に記載の光ディスク再生装置。
【請求項３】
光ディスクを回転させる回転駆動部をさらに備え、
前記空気穴は、前記回転駆動部による光ディスクの回転によって生じた空気流による負静圧箇所近傍に形成されていることを特徴とする請求項１又は２に記載の光ディスク再生装置。
【発明の詳細な説明】
【技術分野】
【０００１】
本発明は、装置本体筐体内部の発熱を放熱するための空気穴を有する光ディスク再生装置に関する。
【背景技術】
【０００２】
従来から、装置本体筐体内部に格納されたマイコン等からの発熱を放熱するための空気穴が筐体に設けられた再生装置が普及している。この種の再生装置では、筐体に設けられた空気穴が目立つことが多く、見栄えが悪いという問題点がある。しかし、再生装置の筐体に空気穴を設けない場合、筐体内部の温度が所定以上に上昇することによって、筐体内部に格納されたマイコン等が故障してしまうことがある。
【０００３】
これに対して、特許文献１には、ディスク載置部のカバーにスリットを設けて、ディスクカバーの冷却効果を高めるディスクプレーヤが開示されている。しかしながら、このディスクプレーヤでは、装置本体筐体内部のマイコン等からの発熱を放熱することができないため、上記問題を解決できない。
【０００４】
また、特許文献２及び３には、ディスク載置部の外周側に孔を設けて通気孔とするディスク装置が開示されている。しかしながら、これらのディスク装置では、ユーザが容易に視認可能な位置に通気孔が設けられているため見栄えが悪く、上記問題を解決できない。
【先行技術文献】
【特許文献】
【０００５】
【特許文献１】特許３１２７９４２号
【特許文献２】特開２００１−１５５４７９号公報
【特許文献３】特開２００６−６６０２１号公報
【発明の概要】
【発明が解決しようとする課題】
【０００６】
本発明は、上述した問題点を解決するためになされたものであり、装置本体筐体内部の発熱を放熱できると共に、見栄えの良い光ディスク再生装置を提供することを目的とする。
【課題を解決するための手段】
【０００７】
上記目的を達成するために請求項１の発明は、装置の稼動時に発熱する制御基板が装置本体筐体の内部に格納され、開閉自在である蓋と、該蓋を収納するための凹部とが前記装置本体筐体の外部に設けられている光ディスク再生装置であって、前記凹部の立ち上がり部には、前記装置本体筐体の内部と貫通する空気穴が形成されているものである。
【０００８】
また、請求項２の発明は、請求項１に記載の光ディスク再生装置において、前記蓋と前記凹部との間には、該蓋を該凹部に収納したときに、前記空気穴を介して前記装置本体筐体の内部に外気を流通させるための隙間が確保されているものである。
【０００９】
また、請求項３の発明は、請求項１又は２に記載の光ディスク再生装置において、光ディスクを回転させる回転駆動部をさらに備え、前記空気穴は、前記回転駆動部による光ディスクの回転によって生じた空気流による負静圧箇所近傍に形成されているものである。
【発明の効果】
【００１０】
請求項１の発明によれば、装置本体筐体の内部と貫通する空気穴が、蓋を収納するための凹部の立ち上がり部に形成されているので、凹部に蓋を収納した状態（蓋を閉じた状態）のときだけではなく、蓋を開けた状態のときでも、空気穴が目立たなくなり、光ディスク再生装置の見栄えが良くなる。また、装置本体筐体に空気穴を設けるので、装置本体筐体内部の制御基板等からの発熱を放熱することができる。また、一般に、成形誤差等を考慮すると、蓋を閉じた状態のときに、蓋と凹部との間には、必然的に隙間が形成されるので、上記のように、凹部の立ち上がり部に空気穴を設ける構成としたことにより、蓋を閉じた状態のときでも、装置本体筐体内部からの熱風を、空気穴を介して上記の蓋と凹部との間の隙間から確実に排気することができる。
【００１１】
また、請求項２の発明によれば、上記請求項１に記載の効果を的確に得ることができる。
【００１２】
また、請求項３の発明によれば、上記の空気穴が負静圧箇所近傍に形成されているため、この空気穴から外気を充分に筐体内部に吸引することができる。
【図面の簡単な説明】
【００１３】
【図１】本発明の実施形態に係るＢＤ再生装置を示す斜視図。
【図２】上記ＢＤ再生装置の本体装置の斜視図。
【図３】上記本体装置の空気穴近傍の概略断面図。
【図４】上記本体装置の蓋を閉じた状態における空気穴近傍の概略断面図。
【図５】上記本体装置の立ち上がり部に形成される空気穴の変形例を示す空気穴近傍の概略断面図。
【発明を実施するための形態】
【００１４】
以下、本発明の一実施形態に係るポータブルブルーレイディスク再生装置（光ディスク再生装置）について、図面を参照して説明する。図１は、ポータブルブルーレイディスク再生装置（以下、ＢＤ再生装置という）１の斜視図を示す。
【００１５】
ＢＤ再生装置１は、映像を表示するためのディスプレイ２１を有する表示装置２と、光ディスクを回転させてデータを読み取るＢＤディスク再生部（回転駆動部）４１を有する本体装置４とを備える。本体装置４の筐体上部には蓋１１が設けられており、図１は蓋１１を閉じた状態である。表示装置２と本体装置４とは、ヒンジ機構５を介して連結されている。ヒンジ機構５は、図中矢印Ｒで示すように表示装置２をＡ軸回りに回転自在に保持すると共に、表示装置２を矢印Ｂ方向に開閉自在に保持する。
【００１６】
図２は、蓋１１を開いた状態における本体装置４を示す。本体装置４の筐体の内部には、上記ＢＤディスク再生部４１に加えて、各種動作を制御するためのマイコン等が載置された制御基板４２と、制御基板４２から発生する熱を拡散するための放熱板４３（図３参照）とが格納されている。なお、図中の４１ａは、ＢＤディスク再生部４１の上部に載置されるブルーレイディスクを示し、図中の４１ｂは、ブルーレイディスク４１ａに対してレーザ光を照射することによりデータの読み出しを行うためのピックアップを示す。制御基板４２は、マイコンの稼動時に発熱する。制御基板４２は、ＢＤディスク再生部４１の下部に位置し、放熱板４３は、制御基板４２の下部に位置する。
【００１７】
本体装置４の筐体の上面には、図中のＢ軸回りに開閉自在である蓋１１と、蓋１１を収納するための凹部１２とが設けられている。蓋１１は、閉じた状態、すなわち、凹部１２に収納されることにより、ＢＤディスク再生部４１に装着される光ディスクの露出を塞ぐものである。凹部１２の立ち上がり部１２ａ〜１２ｃには、本体装置４の筐体の内部と貫通する空気穴６１が形成されている。
【００１８】
次に、空気穴６１における空気の流路について、図３及び図４を参照して説明する。図３は、蓋１１を開いた状態における立ち上がり部１２ａに形成された空気穴６１近傍の概略断面を示し、図４は、蓋１１を閉じた状態における立ち上がり部１２ａに形成された空気穴６１近傍の概略断面を示す。図中のＰは、本体装置４の筐体における立ち上がり部１２ａ近傍の隅部を示す。
【００１９】
図４に示すように、蓋１１と凹部１２との間には、蓋１１を凹部１２に収納したとき、つまり、蓋１１を閉じたときに、空気穴６１を介して本体装置４の筐体の内部に外気を流通させるための隙間Ｓが確保されている。
【００２０】
制御基板４２の稼動時における発熱が、制御基板４２の下部に設けられた放熱板４３に伝導し、放熱板４３からの熱は、制御基板４２の外周部から上昇流として筐体内部の上部に達し、筐体内部の上部に位置する空気穴６１から隙間Ｓを介して外部に放熱される。すなわち、放熱板４３からの熱は、図中の白抜き矢印方向に沿って、制御基板４２の外周部から筐体内部の上方に向かう。そして、筐体内部の隅部Ｐ近傍に集まり、空気穴６１から隙間Ｓを介して外部に放熱される。なお、ここでは、立ち上げ部１２ａに形成された空気穴６１による空気の流路を説明したが、立ち上がり部１２ｂ、１２ｃに形成された空気穴６１による空気の流路も立ち上げ部１２ａに形成された空気穴６１と同様であるため、説明を省略する。
【００２１】
また、ＢＤディスク再生部４１による光ディスクの回転によって発生する空気流により、立ち上がり部１２ｂに形成された空気穴６１は負静圧箇所近傍になるため、他の箇所に比べて、空気の吸引効果が大きく、外気を充分に筐体内部に吸引することができる。
【００２２】
次に、立ち上がり部１２ａに形成される空気穴６１の変形例について、図５を参照して説明する。図５に示すように、空気穴６１は、凹部１２における立ち上がり部１２ａのエッジ部Ｅに形成しても良い。立ち上がり部１２ｂ、１２ｃに形成される空気穴６１についても同様に、各立ち上がり部１２ｂ、１２ｃのエッジ部に空気穴が形成されてよい。
【００２３】
上述したように、本実施形態に係るＢＤ再生装置１においては、本体装置４の筐体の内部と貫通する空気穴６１が、蓋１１を収納するための凹部１２の立ち上がり部１２ａ〜１２ｃに形成されているので、凹部１２に蓋１１を収納した状態（蓋を閉じた状態）のときだけではなく、蓋１１を開けた状態のときでも、空気穴６１が目立たなくなり、ＢＤ再生装置１の見栄えが良くなる。
【００２４】
また、本体装置４の筐体に空気穴６１を設けるので、本体装置４の筐体内部の制御基板４２等からの発熱を放熱することができる。また、一般に、成形誤差等を考慮すると、蓋１１を閉じた状態のときに、蓋１１と凹部１２との間には、必然的に隙間Ｓが形成されるので、上記のように、凹部１２の立ち上がり部１２ａ〜１２ｃに空気穴６１を設ける構成としたことにより、蓋１１を閉じた状態のときでも、本体装置４の筐体内部からの熱風を、空気穴６１を介して蓋１１と凹部１２との間の隙間Ｓから確実に排気することができる。
【００２５】
また、蓋１１と凹部１２との間には、必然的に隙間Ｓが形成されるので、本体装置４の筐体内部の制御基板４２等からの発熱を的確に放熱することができる。
【００２６】
また、空気穴６１が本体装置４の筐体内部の負静圧箇所近傍に形成されているため、この空気穴６１から外気を充分に筐体内部に吸引することができ、筐体内部の発熱を効率良く放熱することができる。
【００２７】
また、放熱板４３からの熱は、制御基板４２の外周部から上昇流として、放熱穴６１近傍に位置する筐体内部の隅部Ｐに集まる。そして、隅部Ｐ近傍に位置する放熱穴６１から放熱するため、筐体内部の発熱を効率良く放熱することができる。
【００２８】
また、図５に示したように、空気穴６１を立ち上げ部１２ａ〜１２ｃのエッジ部に形成することにより、蓋１２を開けた状態の時でも、さらに空気穴６１が目立たなくなり、ＢＤ再生装置１の見栄えが良くなる。
【００２９】
なお、本発明は、上記実施形態の構成に限られず、発明の趣旨を変更しない範囲で種々の変形が可能である。例えば、上記実施形態において、請求項における光ディスク再生装置がＢＤ再生装置である場合の例を示したが、光ディスク再生装置はこれに限られず、例えばＤＶＤプレーヤであってもよい。
【００３０】
また、ＢＤ再生装置は、本体装置の外縁部近くに立ち上がり部を設けると共に、この立ち上がり部に空気穴を形成し、筐体内部における上部四隅付近から外気の吸排気を行うことによって放熱効果を高めるものであってもよい。
【符号の説明】
【００３１】
１  ＢＤ再生装置（光ディスク再生装置）
４  本体装置
１１  蓋
１２  凹部
４１  ＢＤディスク再生部（回転駆動部）
４２  制御基板
６１  空気穴
１２ａ〜１２ｃ  立ち上がり部
Ｓ  隙間
【図１】
2011141923.tif 000003
【図２】
2011141923.tif 000004
【図３】
2011141923.tif 000005
【図４】
2011141923.tif 000006
【図５】
2011141923.tif 000007